(57)【要約】【課題】  キャビネットとフローリング材の境界部が美感のある仕上がりとなる上に、作業性が良いフローリング構造及びその施工方法を提供する。【解決手段】  壁１際にシステムキッチン４が配設される室内の床下地材２上にフローリング材３を敷設するフローリング構造である。  そして、システムキッチン４の下端部４ｂと床下地材２の間に、フローリング材３の厚さと略同じ厚さの嵩上げ材６が、その室内側端面６ａがシステムキッチン４の下方に隠れるように配置され、フローリング材３の端面がシステムキッチン４の下方に差し込まれている。【選択図】  図１
2006312823.tif 000002
【特許請求の範囲】
【請求項１】
壁際にキャビネットが配設される室内の床下地材上にフローリング材を敷設するフローリング構造であって、
前記キャビネットの下端部と前記床下地材の間に、前記フローリング材の厚さと略同じ厚さの嵩上げ材が、その端面が前記キャビネットの下方に隠れるように配置され、前記フローリング材の端面が前記キャビネットの下方に差し込まれていることを特徴とするフローリング構造。
【請求項２】
前記嵩上げ材は、一端が前記壁面に当接され、その反対側の端面と前記キャビネットの室内側側面との距離が、前記室内側側面に沿って一定であることを特徴とする請求項１に記載のフローリング構造。
【請求項３】
前記嵩上げ材は、前記壁面に沿って間隔を開けて複数配置されていることを特徴とする請求項１又は２に記載のフローリング構造。
【請求項４】
壁際にキャビネットが配設される室内の床下地材上にフローリング材を敷設するフローリング構造の施工方法であって、
前記床下地材上に前記キャビネットの下端部奥行きよりも短くかつ前記フローリング材の厚さと略同じ厚さの嵩上げ材を、前記キャビネットの幅方向となる方向に間隔を開けて複数配置し、前記嵩上げ材上に前記キャビネットを載置し、前記キャビネットの室内側側面の下方から前記フローリング材の端面を差し込んでフローリング材を敷設することを特徴とするフローリング構造の施工方法。
【発明の詳細な説明】
【技術分野】
【０００１】
本発明は、キッチン台や作り付けの収納家具などのキャビネットが壁際に配設される室内の床をフローリング材によって仕上げるフローリング構造及びその施工方法に関するものである。
【背景技術】
【０００２】
従来、図４に示すようにフローリング材３が床下地材２上に敷設される室内の壁１際に、予めキャビネットとしてのシステムキッチン４や収納家具が設置されることがある（特許文献１など参照）。
【０００３】
特許文献１は、箱状の建物ユニット（図示せず）を組み立てて構築するプレハブ住宅の一種としてのユニット建物に関するものであり、建物ユニットの内部に取り付けるシステムキッチン４の取付方法について開示している。
【０００４】
この方法では、ガス台などの複数の単位ユニット（図１の４１〜４３参照）を組み合わせて構成されるシステムキッチン４を迅速に取り付けるために、システムキッチン４の底面寸法に対応させたセット用底板５（図４参照）上に単位ユニットを設置してシステムキッチン４を組み立て、そのセット用底板５と共にシステムキッチン４を建物ユニットの中に配設する。
【０００５】
このセット用底板５の端面５ａは、システムキッチン４の室内側側面４ａと面一に形成されており、建物ユニットを現地に運んで所定の場所に据え付けた後に、セット用底板５の端面５ａにフローリング材３の端面を当接させることによってフローリング材３の敷設をおこなう。
【特許文献１】特開２００１−２９２８４１号公報
【発明の開示】
【発明が解決しようとする課題】
【０００６】
しかしながら、特許文献１に開示されたような従来の方法では、セット用底板５の端面５ａがシステムキッチン４の室内側側面４ａよりも室内側に突出すると、セット用底板５とフローリング材３との境界がシステムキッチン４外縁に露出することになるため、工場でセット用底板５を床下地材２上に固定する際に、セット用底板５と室内側側面４ａが高い精度で面一になるように多くの作業時間と技量が必要とされる。
【０００７】
また、現地でフローリング材３を敷設する際も、システムキッチン４の外縁にフローリング材３の境界線が露出することになるので、高い精度でフローリング材３を切断するために多くの作業時間と技量が必要とされる。
【０００８】
そこで、本発明は、キャビネットとフローリング材の境界部が美感のある仕上がりとなる上に、作業性が良いフローリング構造及びその施工方法を提供することを目的としている。
【課題を解決するための手段】
【０００９】
前記目的を達成するために、本発明は、壁際にキャビネットが配設される室内の床下地材上にフローリング材を敷設するフローリング構造であって、前記キャビネットの下端部と前記床下地材の間に、前記フローリング材の厚さと略同じ厚さの嵩上げ材が、その端面が前記キャビネットの下方に隠れるように配置され、前記フローリング材の端面が前記キャビネットの下方に差し込まれているフローリング構造であることを特徴とする。
【００１０】
ここで、前記嵩上げ材は、一端が前記壁面に当接され、その反対側の端面と前記キャビネットの室内側側面との距離が、前記室内側側面に沿って一定となるように形成することが望ましい。
【００１１】
また、前記嵩上げ材は、前記壁面に沿って間隔を開けて複数配置させることもできる。
【００１２】
さらに、本発明は壁際にキャビネットが配設される室内の床下地材上にフローリング材を敷設するフローリング構造の施工方法であって、前記床下地材上に前記キャビネットの下端部奥行きよりも短くかつ前記フローリング材の厚さと略同じ厚さの嵩上げ材を、前記キャビネットの幅方向となる方向に間隔を開けて複数配置し、前記嵩上げ材上に前記キャビネットを載置し、前記キャビネットの室内側側面の下方から前記フローリング材の端面を差し込んでフローリング材を敷設するフローリング構造の施工方法であることを特徴とする。
【発明の効果】
【００１３】
このように構成された本発明は、前記キャビネットが前記嵩上げ材上に載置され、前記キャビネットの下方に前記フローリング材の端面が差し込まれる。
【００１４】
このため、前記フローリング材の端面が露出することがないので、前記嵩上げ材の端面や前記フローリング材の端面の仕上がり精度が高くなくとも、前記キャビネットと前記フローリング材の境界部を美感のある仕上がりにすることができる。
【００１５】
また、前記キャビネットの室内側側面に沿って一定の距離で前記嵩上げ材の室内側端面を前記壁側に後退させておくことで、前記フローリング材の差込み量を一定にすることができるので、フローリング材の敷設作業の効率が向上すると共に仕上がり床面の美感を良くすることができる。
【００１６】
さらに、嵩上げ材を複数の材料で構成させることで、一枚の板材で構成する場合に比べて材料費を削減できる。
【００１７】
また、本発明のフローリング構造の施工方法によれば、前記キャビネットの室内側側面の下方から前記フローリング材の端面を差し込んでフローリング材を敷設するのでフローリング材の端面が露出しない。
【００１８】
このため、嵩上げ材やフローリング材の端面の仕上げ作業に時間をかける必要がないので作業性に優れている。
【発明を実施するための最良の形態】
【００１９】
以下、本発明の最良の実施の形態について図面を参照して説明する。
【００２０】
図１は、壁１際にキャビネットとしてのシステムキッチン４を配設するフローリング構造の構成を示した斜視図である。
【００２１】
まず、構成から説明すると、このような本実施の形態のフローリング構造は、壁１と床面を形成する床下地材２と天井（図示せず）とに囲まれた建物ユニット室内の床下地材２上に形成される。
【００２２】
これらの壁１や床下地材２は、例えば、合板、パーティクルボード、ＯＳＢボード、ＭＦＤボード、石膏ボード、ＡＬＣ、スラブデッキ等によって製作される。
【００２３】
また、システムキッチン４は、ガスレンジを置くレンジ台やシンク台などの単位ユニット４１〜４３を、例えば幅方向に複数連結して組み立てられる。
【００２４】
このシステムキッチン４は、床下地材２上にフローリング材３の厚さと略同じ厚さの矩形板状の嵩上げ材６を固定してその上に載置される。嵩上げ材６は後述するフローリング材３と同等の材料で形成することもできるが、システムキッチン４の下に隠れてしまう部材であるため、合板等の安価な材料で形成すればよい。なお、図面では、説明のためフローリング材３や嵩上げ材６の厚さを実際よりも強調して示している。
【００２５】
この嵩上げ材６は、図２に示すように壁側端面６ｂが壁１面に当接され、その反対側の室内側端面６ａは、システムキッチン４の室内側側面４ａより壁１側に後退して、システムキッチン４の下方に隠れるように配置される。
【００２６】
すなわち、システムキッチン４は、フローリング材３が敷設されるまでは、嵩上げ材６から前面が室内側に張り出した状態で支持される。
【００２７】
この嵩上げ材６の室内側端面６ａをシステムキッチン４の室内側側面４ａから後退させる距離は、任意に設定することができるが、あまり長すぎるとフローリング材３を差し込む際の抵抗が大きくなる上にシステムキッチン４の張出しが大きくなって不安定になり、あまり短すぎると嵩上げ材６を高い精度で取り付けなければならなくなるので、例えば５ｃｍ程度とする。
【００２８】
さらに嵩上げ材６は、図１及び図３（ａ）に示すように、システムキッチン４の背面側となる背面壁１ａに沿って所定の間隔を開けて配置される。この嵩上げ材６，・・・の幅方向の間隔は、載置するシステムキッチン４の下端部４ｂが面状でいずれの位置で支持してもよい場合は等間隔に配置することができ、システムキッチン４の下端部４ｂが桁状に形成されていて支持位置が決まっている場合はその支持位置にあわせて配置する。
【００２９】
また、フローリング材３は、木質系の床仕上げ用板材として一般に用いられるものであれば特に限定されず、例えば、木質系の単一のもの、木質系シートを積層したもの、木質や、紙材等のチップ材を圧縮一体化したもの、木質繊維を圧縮一体化したもの（繊維板）、樹脂製のもの、これらの表面化粧板が積層されたもの等が適用される。
【００３０】
次に、本実施の形態のフローリング構造の施工方法について説明すると共に、その作用について説明する。
【００３１】
まず、壁１や床下地材２などによって建物ユニットの外形を形成し、システムキッチン４の配設を予定している位置の床下地材２上に嵩上げ材６を釘又はタッカーによって固定する。
【００３２】
嵩上げ材６は、図３（ａ）に示すように端面を背面壁１ａに当接させると共に側端面を側壁１ｂに当接させて1枚配置し、他の嵩上げ材６，・・・は、背面壁１ａに沿ってシステムキッチン４の幅方向となる方向に間隔を開けて所定枚数を配置する。
【００３３】
そして、嵩上げ材６，・・・の上に単位ユニット４１〜４３（図１参照）を載置してシステムキッチン４を組み立てる。
【００３４】
この状態では、システムキッチン４は嵩上げ材６，・・・によって支持されており、室内側側面４ａが嵩上げ材６，・・・から張り出した仮置き状態になっている。
【００３５】
その後、床下地材２上にフローリング材３を敷設する工程になったときに、フローリング材３の端面をシステムキッチン４の室内側側面４ａの下方から差し込んで、図２に示すように嵩上げ材６の室内側端面６ａに当接させる。
【００３６】
このように本実施の形態の構成によれば、フローリング材３の端面がシステムキッチン４の下方に隠れることになるため、切断などによって加工されるフローリング材３の端面の仕上がり精度を高精度にしなくとも、システムキッチン４外縁の美感を良くすることができ作業時間を短縮できる。
【００３７】
また、嵩上げ材６の室内側端面６ａも、システムキッチン４の室内側側面４ａから後退した位置に配置されるので、高精度に仕上げる必要がなく効率的に施工をおこなうことができる。
【００３８】
さらに、嵩上げ材６，・・・の室内側端面６ａ，・・・と、システムキッチン４の室内側側面４ａとの距離を室内側側面４ａに沿って一定にすることで、フローリング材３の差込み量を一定にすることができる。
【００３９】
この結果、フローリング材３の室内側への突出量も一定になってフローリング材の敷設作業の作業性が向上すると共に仕上がり床面の美感も良くなる。
【００４０】
また、嵩上げ材６，・・・をシステムキッチン４の下端部４ｂの全面に配置するのではなく間隔を開けて配置することで、一枚の板材で形成する場合に比べて材料費を削減することができる。
【００４１】
なお、図３（ｂ）に示すように嵩上げ材７を一枚の板材で形成した場合は、嵩上げ材７の材料費は増加することになるが、切断加工する時間が削減できる上に、床下地材２への取り付けも容易になるので、システムキッチン４の大きさや嵩上げ材７の材料費などを総合して考えていずれの嵩上げ材６，７を使用するかを選択すればよい。
【００４２】
以上、図面を参照して、本発明の最良の実施の形態を詳述してきたが、具体的な構成は、この実施の形態に限らず、本発明の要旨を逸脱しない程度の設計的変更は、本発明に含まれる。
【００４３】
例えば、前記実施の形態では、キャビネットとしてシステムキッチン４を使用して説明したが、これに限定されるものではなく、収納ダンスや本棚等の作り付けの家具などであってもよい。
【００４４】
また、前記実施の形態では、ユニット建物を構成する建物ユニット内にシステムキッチン４を配置してフローリング材３を敷設するものとして説明したが、これに限定されるものではなく、壁１際の床下地材２上にキャビネットを配設した後にフローリング材３を敷設するものであれば適用する工法が限定されるものではない。
【図面の簡単な説明】
【００４５】
【図１】本発明の最良の実施の形態のフローリング構造を示した斜視図である。
【図２】本発明の最良の実施の形態のフローリング構造を示した断面図である。
【図３】（ａ）本発明の最良の実施の形態の嵩上げ材を床下地材上に配置した状態を示した平面図であり、（ｂ）その他の形態の嵩上げ材を床下地材上に配置した状態を示した平面図である。
【図４】従来のフローリング構造を示した断面図である。
【符号の説明】
【００４６】
１            壁
２            床下地材
３            フローリング材
４            システムキッチン（キャビネット）
４ａ          室内側側面
４ｂ          下端部
６            嵩上げ材
７            嵩上げ材
【図１】
2006312823.tif 000003
【図２】
2006312823.tif 000004
【図３】
2006312823.tif 000005
【図４】
2006312823.tif 000006